【手続補正書】
【提出日】平成18年3月28日(2006.3.28)
【手続補正１】
【補正対象書類名】明細書
【補正対象項目名】特許請求の範囲
【補正方法】変更
【補正の内容】
【特許請求の範囲】
【請求項１】
物体側から順に、正の屈折力をもつ第１レンズ群、負の屈折力をもつ第２レンズ群、負の屈折力をもつ第３レンズ群、正の屈折力をもつ第４レンズ群とを有し、広角端から望遠端に変倍する際、前記第１レンズ群と前記第４レンズ群は像面側から物体側に移動し、第１レンズ群と第２レンズ群の間隔は増大し、各レンズ群の間隔が変化するズームレンズにおいて、無限遠の被写体から近距離の被写体にフォーカシングする際、前記第２レンズ群と前記第３レンズ群がそれぞれ独立に移動することを特徴とするズームレンズ。
【請求項２】
無限遠の被写体から、無限遠と最至近距離の間にある任意の有限距離の被写体にフォーカシングする際の第２レンズ群と第３レンズ群の移動量が、ズーム位置によって異なる所定の量であることを特徴とする請求項１に記載のズームレンズ。
【請求項３】
広角端における第２レンズ群の無限遠から至近距離へのフォーカシングによる移動量をＸ２Ｗ，第３レンズ群の無限遠から至近距離へのフォーカシングによる移動量をＸ３Ｗとするとき、次の条件式（１）を満足することを特徴とする請求項１に記載のズームレンズ。
−２＜Ｘ２Ｗ／Ｘ３Ｗ＜０．５  …                  （１）
但し、像面方向への移動を正とする。
【請求項４】
以下の条件式（１―１）を満足することを特徴とする請求項３に記載のズームレンズ。
−１＜Ｘ２Ｗ／Ｘ３Ｗ＜０．３  …              （１―１）
【請求項５】
以下の条件式（１−２）を満足することを特徴とする請求項３に記載のズームレンズ。
−０．８＜Ｘ２Ｗ／Ｘ３Ｗ＜−０．０１  …      （１−２）
【請求項６】
無限遠の被写体から有限距離の被写体にフォーカシングする際に、第２レンズ群は、広角端においては像側に移動し、望遠端においては物体側に移動し、第３レンズ群はズーム状態によらず物体側に移動することを特徴とする請求項１乃至５の何れかに記載のズームレンズ。
【請求項７】
無限遠の被写体から特定の有限距離の被写体にフォーカシングする際の第２レンズ群の移動量は、広角端から望遠端まで連続的に変化することを特徴とする請求項６に記載のズームレンズ。
【請求項８】
無限遠の被写体から特定の有限距離の被写体にフォーカシングする際、第３レンズ群の移動量は、広角端から望遠端まで連続的に変化することを特徴とする請求項６または７に記載のズームレンズ。
【請求項９】
無限遠の被写体から特定の有限距離の被写体にフォーカシングする際、第３レンズ群は物体側に移動し、その移動量は広角端から望遠端にゆくに従って大きくなることを特徴とする請求項８に記載のズームレンズ。
【請求項１０】
広角端における無限遠合焦時の第１レンズ群と第２レンズ群との間隔Ｄ１２Ｗ、望遠端における無限遠合焦時の第１レンズ群と第２レンズ群との間隔をＤ１２Ｔとするときに、下記の条件式（２）を満足することを特徴とする請求項１乃至９の何れかに記載のズームレンズ。
０．００１＜Ｄ１２Ｗ／Ｄ１２Ｔ＜０．１  …      （２）
【請求項１１】
下記の条件式（２−１）を満足することを特徴とする請求項１０に記載のズームレンズ。
０．００５＜Ｄ１２Ｗ／Ｄ１２Ｔ＜０．０７  …    （２−１）
【請求項１２】
下記の条件式（２−２）を満足することを特徴とする請求項１０に記載のズームレンズ。
０．０１＜Ｄ１２Ｗ／Ｄ１２Ｔ＜０．０５  …      （２−２）
【請求項１３】
広角端における無限遠合焦時の第２レンズ群と第３レンズ群との間隔をＤ２３Ｗ、望遠端における無限遠合焦時の第２レンズ群と第３レンズ群との間隔をＤ２３Ｔとしたときに、下記の条件式（３）を満足することを特徴とする請求項１乃至１２の何れかに記載のズームレンズ。
３．０＜Ｄ２３Ｗ／Ｄ２３Ｔ＜２０．０  …        （３）
【請求項１４】
下記の条件式（３−１）を満足することを特徴とする請求項１３に記載のズームレンズ。
４．０＜Ｄ２３Ｗ／Ｄ２３Ｔ＜１０．０  …        （３−１）
【請求項１５】
下記の条件式（３−２）を満足することを特徴とする請求項１３に記載のズームレンズ。
５．０＜Ｄ２３Ｗ／Ｄ２３Ｔ＜７．０  …          （３−２）
【請求項１６】
望遠端における第２レンズ群の無限遠から至近距離へのフォーカシングによる移動量をＸ２Ｔ，第３レンズ群の無限遠から至近距離へのフォーカシングによる移動量をＸ３Ｔとするとき、下記の条件式（４）を満足することを特徴とする請求項１３乃至１５の何れかに記載のズームレンズ。
０．７＜Ｘ２Ｔ／Ｘ３Ｔ＜１．５  …              （４）
【請求項１７】
下記の条件式（４−１）を満足することを特徴とする請求項１６に記載のズームレンズ。
０．８＜Ｘ２Ｔ／Ｘ３Ｔ＜１．３  …              （４−１）
【請求項１８】
下記の条件式（４−２）を満足することを特徴とする請求項１６に記載のズームレンズ。
０．９＜Ｘ２Ｔ／Ｘ３Ｔ＜１．１  …            （４−２）
【請求項１９】
請求項１乃至１８の何れかに記載のズームレンズを有し、且つ、該ズームレンズの像面側に、カメラと接続可能なレンズマウント部を有することを特徴とするズームレンズ装置。
【手続補正２】
【補正対象書類名】明細書
【補正対象項目名】０００５
【補正方法】変更
【補正の内容】
【０００５】
【課題を解決するための手段】
本発明は、物体側から順に、正の屈折力をもつ第１レンズ群、負の屈折力をもつ第２レンズ群、負の屈折力をもつ第３レンズ群、正の屈折力をもつ第４レンズ群とを有し、広角端から望遠端に変倍する際、前記第１レンズ群と前記第４レンズ群は像面側から物体側に移動し、第１レンズ群と第２レンズ群の間隔は増大し、各レンズ群の間隔が変化するズームレンズにおいて、無限遠の被写体から近距離の被写体にフォーカシングする際、前記第２レンズ群と前記第３レンズ群がそれぞれ独立に移動することを特徴とする。
【手続補正３】
【補正対象書類名】明細書
【補正対象項目名】０００６
【補正方法】変更
【補正の内容】
【０００６】
また、本発明は、物体側から順に、正の屈折力をもつ第１レンズ群、負の屈折力をもつ第２レンズ群、負の屈折力をもつ第３レンズ群、正の屈折力をもつ第４レンズ群とを有し、広角端から望遠端に変倍する際、前記第１レンズ群と前記第４レンズ群は像面側から物体側に移動し、第１レンズ群と第２レンズ群の間隔は増大し、各レンズ群の間隔が変化するズームレンズにおいて、無限遠の被写体から近距離の被写体にフォーカシングする際、前記第２レンズ群と前記第３レンズ群がそれぞれ独立に移動し、かつ、無限遠の被写体から、無限遠と最至近距離の間にある任意の有限距離の被写体にフォーカシングする際の第２レンズ群と第３レンズ群の移動量が、ズーム位置によって異なる所定の量であることを特徴とする。
【手続補正４】
【補正対象書類名】明細書
【補正対象項目名】０００７
【補正方法】変更
【補正の内容】
【０００７】
また、本発明は、物体側から順に、正の屈折力をもつ第１レンズ群、負の屈折力をもつ第２レンズ群、負の屈折力をもつ第３レンズ群、正の屈折力をもつ第４レンズ群とを有し、広角端から望遠端に変倍する際、前記第１レンズ群と前記第４レンズ群は像面側から物体側に移動し、第１レンズ群と第２レンズ群の間隔は増大し、各レンズ群の間隔が変化するズームレンズにおいて、無限遠の被写体から近距離の被写体にフォーカシングする際、前記第２レンズ群と前記第３レンズ群がそれぞれ独立に移動し、かつ、無限遠の被写体から、無限遠と最至近距離の間にある任意の有限距離の被写体にフォーカシングする際の第２レンズ群と第３レンズ群の移動量が、ズーム位置によって異なる所定の量であって、かつ、広角端における第２レンズ群の無限遠から至近距離へのフォーカシングによる移動量をＸ２Ｗ，第３レンズ群の無限遠から至近距離へのフォーカシングによる移動量をＸ３Ｗとするとき、次の条件式（１）を満足することを特徴とする。
−２＜Ｘ２Ｗ／Ｘ３Ｗ＜０．５  …                  （１）
但し、像面方向への移動を正とする。
また、本発明は、次の条件式（１−１）、（１−２）のいずれかを満足することを特徴とする。
−１＜Ｘ２Ｗ／Ｘ３Ｗ＜０．３  …              （１―１）
−０．８＜Ｘ２Ｗ／Ｘ３Ｗ＜−０．０１  …      （１−２）
また、本発明は、無限遠の被写体から有限距離の被写体にフォーカシングする際に、第２レンズ群は、広角端においては像側に移動し、望遠端においては物体側に移動し、第３レンズ群はズーム状態によらず物体側に移動することを特徴とする。
また、本発明は、無限遠の被写体から特定の有限距離の被写体にフォーカシングする際の第２レンズ群の移動量は、広角端から望遠端まで連続的に変化することを特徴とする。
また、本発明は、無限遠の被写体から特定の有限距離の被写体にフォーカシングする際、第３レンズ群の移動量は、広角端から望遠端まで連続的に変化することを特徴とする。
また、本発明は、無限遠の被写体から特定の有限距離の被写体にフォーカシングする際、第３レンズ群は物体側に移動し、その移動量は広角端から望遠端にゆくに従って大きくなることを特徴とする。
また、本発明は、広角端における無限遠合焦時の第１レンズ群と第２レンズ群との間隔Ｄ１２Ｗ、望遠端における無限遠合焦時の第１レンズ群と第２レンズ群との間隔をＤ１２Ｔとするときに、下記の条件式（２）を満足することを特徴とする。
０．００１＜Ｄ１２Ｗ／Ｄ１２Ｔ＜０．１  …      （２）
また、本発明は、次の条件式（２−１）、（２−２）のいずれかを満足することを特徴とする。
０．００５＜Ｄ１２Ｗ／Ｄ１２Ｔ＜０．０７  …    （２−１）
０．０１＜Ｄ１２Ｗ／Ｄ１２Ｔ＜０．０５  …      （２−２）
また、本発明は、広角端における無限遠合焦時の第２レンズ群と第３レンズ群との間隔をＤ２３Ｗ、望遠端における無限遠合焦時の第２レンズ群と第３レンズ群との間隔をＤ２３Ｔとしたときに、下記の条件式（３）を満足することを特徴とする。
３．０＜Ｄ２３Ｗ／Ｄ２３Ｔ＜２０．０  …        （３）
また、本発明は、次の条件式（３−１）、（３−２）のいずれかを満足することを特徴とする。
４．０＜Ｄ２３Ｗ／Ｄ２３Ｔ＜１０．０  …        （３−１）
５．０＜Ｄ２３Ｗ／Ｄ２３Ｔ＜７．０  …          （３−２）
また、本発明は、望遠端における第２レンズ群の無限遠から至近距離へのフォーカシングによる移動量をＸ２Ｔ，第３レンズ群の無限遠から至近距離へのフォーカシングによる移動量をＸ３Ｔとするとき、下記の条件式（４）を満足することを特徴とする。
０．７＜Ｘ２Ｔ／Ｘ３Ｔ＜１．５  …              （４）
また、本発明は、次の条件式（４−１）、（４−２）のいずれかを満足することを特徴とする。
０．８＜Ｘ２Ｔ／Ｘ３Ｔ＜１．３  …                （４−１）
０．９＜Ｘ２Ｔ／Ｘ３Ｔ＜１．１  …                （４−２）
さらにまた、本発明は、本第１乃至１８の発明の何れかによるズームレンズを有し、且つ、該ズームレンズの像面側に、カメラと接続可能なレンズマウント部を有することを特徴とする。